(57)【要約】【課題】簡易的な作業で複数のコンテンツの関連付けを実現できるようにする。【解決手段】フォルダ作成部は、フォルダの所定の階層構造において、所定の階層にフォルダを作成する。コンテンツ登録部は、フォルダ作成部により作成されたフォルダにコンテンツを格納し、コンテンツと、同一のフォルダに格納されている他のコンテンツとを関連付けることで、コンテンツをフォルダに登録する。本技術は、コンテンツを配信する情報処理装置に適用することができる。【選択図】図４
2013171493.tif 000002
【特許請求の範囲】
【請求項１】
フォルダの所定の階層構造において、所定の階層にフォルダを作成するフォルダ作成部と、
前記フォルダ作成部により作成された前記フォルダにコンテンツを格納し、前記コンテンツと、同一の前記フォルダに格納されている他のコンテンツとを関連付けることで、前記コンテンツを前記フォルダに登録するコンテンツ登録部と
を備える情報処理装置。
【請求項２】
前記フォルダ作成部により作成された前記フォルダに対して、フォルダ用メタデータを対応付けて登録するフォルダ用メタデータ登録部と、
前記コンテンツ登録部により前記フォルダに格納された前記コンテンツに対して、前記フォルダ用メタデータ登録部により前記フォルダに対応付けて登録された前記フォルダ用メタデータを、コンテンツ用メタデータとして対応付けて登録するコンテンツ用メタデータ登録部と
をさらに備える
請求項１に記載の情報処理装置。
【請求項３】
前記コンテンツ用メタデータ登録部は、前記コンテンツが格納された前記フォルダに加えて、前記フォルダの上位のフォルダに登録された前記フォルダ用メタデータを、前記コンテンツ用メタデータとして登録する
請求項２に記載の情報処理装置。
【請求項４】
コンテンツ配信するためのポータルに、前記コンテンツ登録部により登録された前記コンテンツを公開するコンテンツ配信部を備える
請求項１に記載の情報処理装置。
【請求項５】
前記コンテンツ配信部は、同一の前記フォルダに関連付けられて格納されている複数のコンテンツを、関連コンテンツとして前記ポータルに公開する
請求項４に記載の情報処理装置。
【請求項６】
情報処理装置の情報処理方法において、
前記情報処理装置が、
フォルダの所定の階層構造において、所定の階層にフォルダを作成し、
作成された前記フォルダにコンテンツを格納し、前記コンテンツと、同一の前記フォルダに格納されている他のコンテンツとを関連付けることで、前記コンテンツを前記フォルダに登録する
ステップを含む情報処理方法。
【請求項７】
コンピュータを、
フォルダの所定の階層構造において、所定の階層にフォルダを作成するフォルダ作成部と、
前記フォルダ作成部により作成された前記フォルダにコンテンツを格納し、前記コンテンツと、同一の前記フォルダに格納されている他のコンテンツとを関連付けることで、前記コンテンツを前記フォルダに登録するコンテンツ登録部と
して機能させるためのプログラム。
【発明の詳細な説明】
【技術分野】
【０００１】
本技術は、情報処理装置及び方法、並びにプログラムに関し、特に、簡易的な作業で複数のコンテンツの関連付けを実現できる、情報処理装置及び方法、並びにプログラムに関する。
【背景技術】
【０００２】
従来から、様々なコンテンツを管理して、ユーザの端末に配信するコンテンツ管理配信システムが存在する（例えば、特許文献１参照）。
【０００３】
ユーザは、配信された様々なコンテンツの中から、所定のコンテンツを検索することができる。このようなコンテンツの検索は、コンテンツに関連付けられたメタデータにより行われている。コンテンツへのメタデータの関連付けについて、図１を参照して説明する。
【０００４】
[従来のコンテンツ管理配信システム]
図１は、従来のコンテンツ管理配信システムにより管理されるコンテンツを示す図である。
【０００５】
従来のコンテンツ管理配信システムにより管理される対象は、コンテンツ１１乃至１６であるとする。コンテンツ１１乃至１６は、動画像、静止画像、テキスト文書のいずれかであり、2011年に開催された社内勉強会のイベントに関連するコンテンツであるとする。社内勉強会のイベントは、さらに、セミナーというイベントと、講義というイベントに分類されている。すなわち、イベントについて階層化が行われており、最上位のイベントが社内勉強会であり、その下位のイベントとしてセミナーと講義とが存在する。
【０００６】
図１に示されるように、コンテンツ１１乃至１６には、検索のためのメタデータが、コンテンツの管理者により手動で１つずつ登録（以下、手動登録と称する）されて関連付けられる必要がある。
【０００７】
具体的には、静止画像であるコンテンツ１１に対しては、当該コンテンツ１１に関する内容、例えば「社内勉強会」，「2011」，「セミナー」，「提案資料」といった内容が手動入力され、そして、手動操作により記録の指示等がなされることで、これらの内容がメタデータとして手動登録されている。
【０００８】
テキスト文書であるコンテンツ１２に対しては、当該コンテンツ１２に関する内容、例えば「社内勉強会」，「2011」，「セミナー」，「仕様書」といった内容が手動入力され、そして、手動操作により記録の指示等がなされることで、これらの内容がメタデータとして手動登録されている。
【０００９】
動画像であるコンテンツ１３に対しては、当該コンテンツ１３に関する内容、例えば「社内勉強会」，「2011」，「セミナー」，「映像」といった内容が手動入力され、そして、手動操作により記録の指示等がなされることで、これらの内容がメタデータとして手動登録されている。
【００１０】
静止画像であるコンテンツ１４に対しては、当該コンテンツ１４に関する内容、例えば「社内勉強会」，「2011」，「講義」，「提案書」といった内容が手動入力され、そして、手動操作により記録の指示等がなされることで、これらの内容がメタデータとして手動登録されている。
【００１１】
テキスト文書であるコンテンツ１５に対しては、当該コンテンツ１５に関する内容、例えば「社内勉強会」，「2011」，「講義」，「仕様書」といった内容が手動入力され、そして、手動操作により記録の指示等がなされることで、これらの内容がメタデータとして手動登録されている。
【００１２】
動画像であるコンテンツ１６に対しては、当該コンテンツ１６に関する内容、例えば「社内勉強会」，「2011」，「講義」，「映像」といった内容が手動入力され、そして、手動操作により記録の指示等がなされることで、これらの内容がメタデータとして手動登録されている。
【先行技術文献】
【特許文献】
【００１３】
【特許文献１】特開２００２−４１４０７号公報
【発明の概要】
【発明が解決しようとする課題】
【００１４】
しかしながら、コンテンツとメタデータとの関連付けは、上述したように、個々のコンテンツ毎に管理者により手動操作で行われており、管理者にとって作業が煩雑である。また、コンテンツが関連するものであり、複数のコンテンツに共通するメタデータがある場合にも、管理者は個々のコンテンツ毎に共通するメタデータを登録する必要があり、作業に長時間を要する場合がある。
【００１５】
本技術は、このような状況に鑑みてなされたものであり、簡易的な作業で複数のコンテンツの関連付けを実現できるようにしたものである。
【課題を解決するための手段】
【００１６】
本技術の一側面の情報処理装置は、フォルダの所定の階層構造において、所定の階層にフォルダを作成するフォルダ作成部と、前記フォルダ作成部により作成された前記フォルダにコンテンツを格納し、前記コンテンツと、同一の前記フォルダに格納されている他のコンテンツとを関連付けることで、前記コンテンツを前記フォルダに登録するコンテンツ登録部とを備える。
【００１７】
前記フォルダ作成部により作成された前記フォルダに対して、フォルダ用メタデータを対応付けて登録するフォルダ用メタデータ登録部と、前記コンテンツ登録部により前記フォルダに格納された前記コンテンツに対して、前記フォルダ用メタデータ登録部により前記フォルダに対応付けて登録された前記フォルダ用メタデータを、コンテンツ用メタデータとして対応付けて登録するコンテンツ用メタデータ登録部とをさらに設けることができる。
【００１８】
前記コンテンツ用メタデータ登録部は、前記コンテンツが格納された前記フォルダに加えて、前記フォルダの上位のフォルダに登録された前記フォルダ用メタデータを、前記コンテンツ用メタデータとして登録することができる。
【００１９】
コンテンツ配信するためのポータルに、前記コンテンツ登録部により登録された前記コンテンツを公開するコンテンツ配信部を設けることができる。
【００２０】
前記コンテンツ配信部は、同一の前記フォルダに関連付けられて格納されている複数のコンテンツを、関連コンテンツとして前記ポータルに公開することができる。
【００２１】
本技術の一側面の情報処理方法及びプログラムは、上述した本技術の一側面の情報処理装置に対応する方法及びプログラムである。
【００２２】
本技術の一側面の情報処理装置及び方法並びにプログラムにおいては、フォルダの所定の階層構造において、所定の階層にフォルダが作成され、作成された前記フォルダにコンテンツが格納され、前記コンテンツと、同一の前記フォルダに格納されている他のコンテンツとが関連付けられることで、前記コンテンツが前記フォルダに登録される。
【発明の効果】
【００２３】
以上のごとく、本技術によれば、簡易的な作業で複数のコンテンツの関連付けを実現できる。
【図面の簡単な説明】
【００２４】
【図１】従来のコンテンツ管理配信システムにより管理されるコンテンツを示す図である。
【図２】コンテンツ管理配信システムの構成例を示す図である。
【図３】コンテンツ管理配信装置の一実施形態のハードウェア構成例を示すブロック図である。
【図４】CPUの機能的構成例を示すブロック図である。
【図５】コンテンツ管理配信装置により管理されるデータを示す図である。
【図６】コンテンツ管理配信処理の流れを説明するフローチャートである。
【図７】コンテンツ管理画面の例を示す図である。
【図８】配信コンテンツの選択と登録について説明する図である。
【図９】配信内容確認画面の例を示す図である。
【図１０】ＰＣポータルのトップページの例を示す図である。
【図１１】ＰＣポータルの詳細ページの例を示す図である。
【図１２】タブレット型端末ポータルのトップページの例を示す図である。
【図１３】関連コンテンツの表示例について説明する図である。
【図１４】携帯情報端末ポータルのトップページの例を示す図である。
【図１５】携帯情報端末ポータルの詳細ページの例を示す図である。
【図１６】携帯情報端末ポータルの関連コンテンツ表示ページの例を示す図である。
【発明を実施するための形態】
【００２５】
[コンテンツ管理配信システムの構成例]
図２は、コンテンツ管理配信システムの構成例を示す図である。
【００２６】
図２に示されるように、コンテンツ管理配信システム３１は、コンテンツ管理配信装置４１、ユーザ端末４２−１乃至４２−Ｎ（Ｎは１以上の任意の整数値）、及び管理者端末４３を備えている。コンテンツ管理配信装置４１とユーザ端末４２−１乃至４２−Ｎの各々は、インターネット等のネットワークＮを介して相互に接続されている。コンテンツ管理配信装置４１と管理者端末４３は、ケーブルやLAN（Local Area Network）等を介して相互に接続されている。
【００２７】
コンテンツ管理配信装置４１は、管理者端末４３からの指示に従って、動画像、静止画像、テキスト文書等の各種コンテンツをデータの形態で管理する。また、コンテンツ管理配信装置４１は、管理者端末４３からの指示に従って、各種コンテンツを所定のポータルを介してユーザ端末４２−１乃至４２−Ｎの各々に配信する。なお、コンテンツ管理配信装置４１による一連の処理を、以下、コンテンツ管理配信処理と称する。コンテンツ管理配信処理の詳細については後述する。
【００２８】
ユーザ端末４２−１乃至４２−Ｎの各々は、ユーザのスマートフォン等の携帯情報端末、タブレット型端末、ＰＣ（Personal Computer）等のうち任意の構成をとる。ユーザ端末４２−１乃至４２−Ｎの各々は、各ポータルサイトにアクセスすることで、コンテンツ管理配信装置４１により公開された各種コンテンツを受信して再生することができる。なお、各ポータルサイトには、携帯情報端末ポータル、タブレット型端末ポータル、ＰＣポータル等が存在する。なお、以下、ユーザ端末４２−１乃至４２−Ｎを個々に区別する必要がない場合、これらをまとめてユーザ端末４２と称する。
【００２９】
管理者端末４３は、各種コンテンツを記憶している。管理者端末４３は、コンテンツの管理者の操作を受け付け、当該操作の内容に基づいて、各種コンテンツをコンテンツ管理配信装置４１に供給する。また、管理者端末４３は、コンテンツの管理者の操作の内容に基づいて、コンテンツ管理配信処理の実行の指示を、コンテンツ管理配信装置４１に通知する。
【００３０】
次に、コンテンツ管理配信装置４１の詳細について、図３及び図４を参照して説明する。
【００３１】
[コンテンツ管理配信装置の構成例]
図３は、本技術が適用されたコンテンツ管理配信装置４１のハードウェアの構成例を示すブロック図である。
【００３２】
コンテンツ管理配信装置４１は、CPU（Central Processing Unit）５１、ROM（Read Only Memory）５２、RAM（Random Access Memory）５３、バス５４、入出力インタフェース５５、入力部５６、出力部５７、記憶部５８、通信部５９、及びドライブ６０を備えている。
【００３３】
CPU５１は、ROM５２に記録されているプログラムに従って各種の処理を実行する。または、CPU５１は、記憶部５８からRAM５３にロードされたプログラムに従って各種の処理を実行する。RAM５３にはまた、CPU５１が各種の処理を実行する上において必要なデータなども適宜記憶される。
【００３４】
CPU５１、ROM５２、及びRAM５３は、バス５４を介して相互に接続されている。このバス５４にはまた、入出力インタフェース５５も接続されている。入出力インタフェース５５には、入力部５６、出力部５７、記憶部５８、及び通信部５９が接続されている。
【００３５】
入力部５６は、キーボード、マウス、マイクロフォンなどよりなる。出力部５７は、ディスプレイ、スピーカなどにより構成され、各種画像を出力する。
【００３６】
記憶部５８は、例えばハードディスクや不揮発性のメモリ等から構成され、各種情報を記憶する。例えば、コンテンツデータが、フォルダに格納されて記憶部５８に記憶される。さらに、フォルダ毎に、メタデータが対応付けられて記憶部５８に記憶される。このようなメタデータを、以下、フォルダ用メタデータと称する。また、コンテンツ毎に、メタデータが対応付けられて記憶部５８に記憶される。このようなメタデータを、以下、コンテンツ用メタデータと称する。フォルダ用メタデータとコンテンツ用メタデータとの関係や生成手法等詳細については後述する。
【００３７】
通信部５９は、例えばモデムやターミナルアダプタ等から構成され、インターネットを含むネットワークを介して、ユーザ端末４２との間で行う通信を制御する。
【００３８】
入出力インタフェース５５にはまた、必要に応じてドライブ６０が接続され、磁気ディスク、光ディスク、光磁気ディスク、或いは半導体メモリなどよりなるリムーバブルメィア６１が適宜装着される。そして、それらから読み出されたコンピュータプログラムが、必要に応じて記憶部５８にインストールされる。
【００３９】
[CPUの機能的構成例]
図４は、図３に示されるコンテンツ管理配信装置４１のCPU５１が有する機能のうち、コンテンツ管理配信処理の実行機能を実現させるための機能的構成例を示すブロック図である。
【００４０】
CPU５１は、指示受付部７１、フォルダ作成部７２、フォルダ用メタデータ登録部７３、コンテンツ登録部７４、コンテンツ用メタデータ登録部７５、及びコンテンツ配信部７６を有している。
【００４１】
指示受付部７１は、管理者端末４３からの各種指示を受け付け、その指示を、フォルダ作成部７２、フォルダ用メタデータ登録部７３、コンテンツ登録部７４、コンテンツ用メタデータ登録部７５、及びコンテンツ配信部７６のうち、指示対象のブロックに通知する。
【００４２】
フォルダ作成部７２は、指示受付部７１からの指示に基づいて、記憶部５８にフォルダ８１を作成する。なお、詳細については後述するが、フォルダ８１は、コンテンツ管理のための分類単位であり、階層構造をとることができる。すなわち、フォルダ作成部７２は、所定の階層にフォルダを作成する。例えば、講義やセミナー等の所定のイベント毎に第１層のフォルダ８１が作成され、講義の第１層の下位に、講義に関する各種分類項目毎のフォルダ８１が作成され、また、セミナーの第１層の下位に、セミナーに関する各種分類項目毎のフォルダ８１が作成される。
【００４３】
フォルダ用メタデータ登録部７３は、指示受付部７１からの指示に基づいて、フォルダ８１毎に、フォルダ用メタデータ８２を生成し、フォルダ８１に対応付けて記憶部５８に記憶させる（以下、登録するとも適宜表現する）。例えば、所定のイベントについての第１層のフォルダに対しては、当該所定のイベント名、当該所定のイベントの開催日時、当該所定のイベント開催場所等の情報等が含まれるフォルダ用メタデータ８２が生成されて、登録される。
【００４４】
コンテンツ登録部７４は、指示受付部７１からの指示に基づいて、管理者端末４３に記憶されている各種コンテンツの中から、所定のコンテンツ９１を、フォルダ作成部７２により作成されたフォルダ８１内に格納することで、同一のフォルダ８１内に格納された複数のコンテンツ９１を相互に関連付ける。ここで、フォルダ８１は階層構造内の所定の階層に構築されることから、フォルダ８１の下位には１以上のフォルダが存在する場合がある。このような場合、フォルダ８１に直接的に格納されずに、当該フォルダ８１の下位のフォルダに格納されたコンテンツ９１も、フォルダ８１に格納されていると把握することができる。すなわち、フォルダ８１の下位のフォルダに格納されたコンテンツも、フォルダ８１内に格納されたコンテンツとして関連付けられる。なお、以下、コンテンツ９１がフォルダ８１内に格納されることを、登録されると適宜表現する。
【００４５】
コンテンツ用メタデータ登録部７５は、コンテンツ登録部７４により所定のフォルダ８１に所定のコンテンツ９１が登録されると、当該所定のフォルダ８１に対して登録されたフォルダ用メタデータ８２に基づいて、当該所定のコンテンツ９１に対するコンテンツ用メタデータ９２を生成する。そして、コンテンツ用メタデータ登録部７５は、コンテンツ用メタデータ９２を、所定のコンテンツ９１と対応付けて当該所定のフォルダ８１内に記憶させる（以下、登録するとも適宜表現する）。
【００４６】
ここで、コンテンツ用メタデータ９２は、登録されるフォルダ８１に対応付けられたフォルダ用メタデータ８２に基づいて生成されていれば足り、その内容は特に限定されず、例えばフォルダ用メタデータ８２の全部又は一部を含むようにコンテンツ用メタデータ９２が生成されてもよいし、フォルダ用メタデータ８２とは異なる新たなメタデータが新規に生成されてもよい。また、フォルダ用メタデータ８２に関連する情報のみならず、さらに、フォルダ用メタデータ８２とは別の情報、例えば管理者により手動入力される情報を含むようにコンテンツ用メタデータ９２が生成されてもよい。
【００４７】
また、コンテンツ用メタデータ９２の一部又は全部は、対応付けられたコンテンツ９１の検索用のタグとして使用される。
【００４８】
コンテンツ配信部７６は、指示受付部７１からの指示に基づいて、配信対象のコンテンツ９１を選択し、配信情報を設定する。そして、コンテンツ配信部７６は、配信情報の設定が終了すると、コンテンツ９１を、ユーザ端末４２への配信用にポータルに公開する。ここで、配信情報とは、コンテンツ９１の視聴が可能な閲覧者、コンテンツ９１の配信先となるポータル、コンテンツ９１の公開期間等の情報である。
【００４９】
[コンテンツ管理配信装置で管理されるデータ]
次に、コンテンツ管理配信装置４１により管理されるデータについて説明する。
【００５０】
図５は、コンテンツ管理配信システム３１のコンテンツ管理配信装置４１により管理されるデータを示す図である。
【００５１】
従来のコンテンツ管理配信システムにより管理されるコンテンツ（図１参照）との比較を容易なものとするために、コンテンツ管理配信装置４１により管理される対象は、従来と同一のコンテンツ１１乃至１６であるとする。
【００５２】
すなわち、コンテンツ１１乃至１６は、動画像、静止画像、テキスト文書のいずれかであり、2011年に開催された社内勉強会のイベントに関連するコンテンツである。社内勉強会のイベントは、さらに、セミナーというイベントと、講義というイベントに分類されている。したがって、イベントについても階層化が行われており、最上位のイベントが社内勉強会であり、その下位のイベントとしてセミナーと講義とが存在する。
【００５３】
このようなイベントの階層に伴い、コンテンツ１１乃至１６が格納されるフォルダも階層化されている。具体的には、最上位のイベントが社内勉強会であるため、記憶部５８において、当該社内勉強会に対応するフォルダ１０１が構築されている。そして、社内勉強会の下位のイベントとしてセミナーと講義とが存在するため、記憶部５８において、当該セミナーに対応するフォルダ１０１−１と、当該講義に対応するフォルダ１０１−２とが、フォルダ１０１の下位にそれぞれ構築されている。
【００５４】
具体的には、最上位の社内勉強会に対応するフォルダ１０１が最上位に存在し、フォルダ用メタデータとして「社内勉強会」と「2011」とが管理者により予め登録されているものとする。また、フォルダ１０１の下位には、セミナーに対応するフォルダ１０１−１と、講義に対応するフォルダ１０１−２とが、同一階層に存在する。フォルダ１０１−１のフォルダ用メタデータとして「セミナー」が管理者により予め登録されており、フォルダ１０１−２のフォルダ用メタデータとして「講義」が管理者により予め登録されているものとする。
【００５５】
コンテンツ管理配信装置４１により管理されるコンテンツ１１乃至１３は、社内勉強会のセミナーに関連するものであるため、管理者により社内勉強会に対応するフォルダ１０１の下位のフォルダのうち、セミナーに対応するフォルダ１０１−１に格納される。このようにして、同一のフォルダ１０１−１に格納されたコンテンツ１１乃至１３は、コンテンツ管理配信装置４１により自動的に相互に関連付けられる。つまり、コンテンツ１１乃至１３に対して、階層構造を構成するフォルダ１０１及びフォルダ１０１−１の各々のフォルダ用メタデータ、具体的には「社内勉強会」及び「2011」並びに「セミナー」が、コンテンツ管理配信装置４１によりコンテンツ用メタデータとして自動的に付与されて登録（以下、自動登録と称する）される。
【００５６】
同様に、コンテンツ管理配信装置４１により管理されるコンテンツ１４乃至１６は、社内勉強会の講義に関連するものであるため、管理者により社内勉強会に対応するフォルダ１０１の下位のフォルダのうち、講義に対応するフォルダ１０１−２に格納される。このようにして、同一のフォルダ１０１−２に格納されたコンテンツ１４乃至１６は、コンテンツ管理配信装置４１により自動的に相互に関連付けられる。つまり、コンテンツ１４乃至１６に対して、階層構造を構成するフォルダ１０１及びフォルダ１０１−２の各々のフォルダ用メタデータ、具体的には「社内勉強会」及び「2011」並びに「講義」が、コンテンツ管理配信装置４１によりコンテンツ用メタデータとして自動登録される。
【００５７】
コンテンツの管理者は、このようなコンテンツ用メタデータが登録されたコンテンツ１１乃至１６に対して、さらに手動入力により、コンテンツ用メタデータを登録することができる。
【００５８】
図５の場合、管理者は、セミナーの提案資料を示すものであって、「社内勉強会」，「2011」，「セミナー」というコンテンツ用メタデータが自動登録されたコンテンツ１１に対して、「提案資料」というコンテンツ用メタデータを手動登録する。
【００５９】
同様に、管理者は、セミナーの仕様書を示すものであって、「社内勉強会」，「2011」，「セミナー」というコンテンツ用メタデータが自動登録されたコンテンツ１２に対して、「仕様書」というコンテンツ用メタデータを手動登録する。
【００６０】
同様に、管理者は、セミナーの映像を示すものであって、「社内勉強会」，「2011」，「セミナー」というコンテンツ用メタデータが自動登録されたコンテンツ１３に対して、「映像」というコンテンツ用メタデータを手動登録する。
【００６１】
また、管理者は、講義の提案資料を示すものであって、「社内勉強会」，「2011」，「講義」というコンテンツ用メタデータが自動登録されたコンテンツ１４に対して、「提案資料」というコンテンツ用メタデータを手動登録する。
【００６２】
同様に、管理者は、講義の仕様書を示すものであって、「社内勉強会」，「2011」，「講義」というコンテンツ用メタデータが自動登録されたコンテンツ１５に対して、「仕様書」というコンテンツ用メタデータを手動登録する。
【００６３】
同様に、管理者は、講義の映像を示すものであって、「社内勉強会」，「2011」，「講義」というコンテンツ用メタデータが自動登録されたコンテンツ１６に対して、「映像」というコンテンツ用メタデータを手動登録する。
【００６４】
このように、コンテンツ管理配信装置４１においては、コンテンツ１１乃至１３は、階層構造を構成するフォルダ１０１の下位のフォルダ１０１−１に格納されるときに自動的に関連付けられるので、コンテンツ用メタデータが自動的に付与されて登録される。同様に、コンテンツ１４乃至１６は、階層構造を構成するフォルダ１０１の下位のフォルダ１０１−２に格納されるときに自動的に関連付けられるので、コンテンツ用メタデータが自動的に付与されて登録される。
【００６５】
このように、管理者は、下位のフォルダに格納されたコンテンツに対して、フォルダ単位で、一括してメタデータを付与して登録させることができる。
【００６６】
このように、コンテンツ管理配信装置４１によれば、簡易的な作業で複数のコンテンツの関連付けを実現できる。
【００６７】
[コンテンツ管理配信処理]
図６は、コンテンツ管理配信処理の流れを説明するフローチャートである。
【００６８】
ステップＳ１において、指示受付部７１は、管理者端末４３からフォルダ作成の指示を受け付けたかを判定する。
【００６９】
フォルダ作成の指示を受け付けていない場合、ステップＳ１においてＮＯであると判定されて、処理はステップＳ４に進む。なお、ステップＳ４以降の処理については後述する。
【００７０】
これに対して、フォルダ作成の指示を受け付けた場合、ステップＳ１においてＹＥＳであると判定されて、処理はステップＳ２に進む。
【００７１】
ステップＳ２において、フォルダ作成部７２は、指示受付部７１からの指示に基づいて、フォルダを作成する。なお、作成されるフォルダの数は限定されず、コンテンツの分類単位毎に階層構造をとるように作成される。
【００７２】
ステップＳ３において、フォルダ用メタデータ登録部７３は、指示受付部７１からの指示に基づいて、フォルダ用メタデータを生成してフォルダに対応付けて登録する。
【００７３】
具体的には、例えば、図７のコンテンツ管理画面に示されるように、作成された複数のフォルダに対して、フォルダ用メタデータが登録される。
【００７４】
[コンテンツ管理画面]
ここで、コンテンツ管理画面について説明する。図７は、コンテンツ管理画面の例を示す図である。
【００７５】
図７に示されるコンテンツ管理画面１２１には、コンテンツ登録画面１３１、公開進捗状況表示画面１３２、及びポータル管理画面１３３が含まれる。
【００７６】
コンテンツ登録画面１３１は、コンテンツに対してコンテンツ用メタデータを登録する作業から、配信対象のコンテンツを選択して登録する作業までの間に用いられる。
【００７７】
公開進捗状況表示画面１３２は、配信対象として選択されたコンテンツのポータルへの公開前の状況を表示する。
【００７８】
ポータル管理画面１３３は、ポータルに配信されたコンテンツの管理が行われる場合に用いられる。例えば、管理者は、ポータル管理画面１３３を通じて、コンテンツの公開期間を変更したり、コンテンツに対するユーザ端末４２からのコメントを確認することができる。
【００７９】
なお、本明細書においては、図７のコンテンツ登録画面１３１についてのみ説明する。コンテンツ登録画面１３１には、階層構造表示領域１４１、コンテンツ内容表示領域１４２、メタデータ編集領域１４３、個別フォルダ用タグ編集領域、及び配信カート領域１４５が配置されている。
【００８０】
ステップＳ２の処理で、階層構造表示領域１４１に表示される複数のフォルダが作成され、ステップＳ３の処理で、当該複数のフォルダにフォルダ用メタデータが登録される。
【００８１】
具体的には、階層構造表示領域１４１には、最上位の第１層のフォルダとして、フォルダ１６１及びフォルダ１６２の２つが作成されている。
【００８２】
第１層のフォルダ１６１には、フォルダ用メタデータとして「電子工学科」が登録されている。また、第１層のフォルダ１６１の下位には、第２層のフォルダ１６１−１が作成され、フォルダ用メタデータとして「情報処理II」が登録されている。また、第２層のフォルダ１６１−１の下位には、第３層のフォルダ１６１−１−１乃至１６１−１−３が作成され、フォルダ用メタデータとして「第１回」、「第２回」、「補修１」のそれぞれが登録されている。
【００８３】
また、第１層のフォルダ１６２には、フォルダ用メタデータとして「情報工学科」が登録されている。また、第１層のフォルダ１６２の下位には、第２層のフォルダ１６２−１が作成され、フォルダ用メタデータとして「情報処理II」が登録されている。また、第２層のフォルダ１６２−１の下位には、第３層のフォルダ１６２−１−１乃至１６２−１−３が作成され、フォルダ用メタデータとして「第１回」、「第２回」、「補修１」のそれぞれが登録されている。
【００８４】
なお、管理者は、個別フォルダタグ編集領域１４４において、選択されているフォルダ（図７の例ではフォルダ１６１−１−１）のタグとなるフォルダ用メタデータを、個別に編集することができる。図７の場合、フォルダ１６１−１−１のフォルダ用メタデータとして、「フォルダタグ３・・・フォルダタグ５」が登録されている。管理者によるこれらの手動入力の内容に基づいて、ステップＳ３の処理で、フォルダ用メタデータが登録される。
【００８５】
図６の説明に戻り、ステップＳ４において、指示受付部７１は、管理者端末４３からコンテンツ登録の指示を受け付けたかを判定する。
【００８６】
コンテンツ登録の指示を受け付けていない場合、ステップＳ４においてＮＯであると判定されて、処理はステップＳ９に進む。なお、ステップＳ９以降の処理については後述する。
【００８７】
これに対して、コンテンツ登録の指示を受け付けた場合、ステップＳ５においてＹＥＳであると判定されて、処理はステップＳ５に進む。
【００８８】
ステップＳ５において、コンテンツ登録部７４は、指示受付部７１からの指示に基づいて、フォルダにコンテンツを登録する。すなわち、コンテンツ登録部７４は、管理者端末４３に記憶されている各種コンテンツの中から、所定のコンテンツを、ステップＳ２の処理でフォルダ作成部７２により作成されたフォルダに登録する。なお、登録されるコンテンツの数は限定されない。
【００８９】
具体的には、例えば、図７のフォルダ１６１−１−１には、コンテンツ１７１−１乃至１７１−Ｎ（Ｎは、1以上の整数値）が登録される。なお、コンテンツ内容表示領域１４２には、そのうちのコンテンツ１７１−１乃至１７１−７の内容を示す情報が表示されている。以下、コンテンツ１７１−１乃至１７１−Ｎを個々に区別する必要がない場合、これらをまとめてコンテンツ１７１と称する。
【００９０】
図６の説明に戻り、ステップＳ６において、コンテンツ用メタデータ登録部７５は、コンテンツに対して、フォルダ用メタデータをコンテンツ用メタデータとして自動登録する。すなわち、コンテンツ用メタデータ登録部７５は、ステップＳ３の処理でフォルダに登録されたフォルダ用メタデータを、ステップＳ５の処理で当該フォルダに登録された所定のコンテンツに対して、コンテンツ用メタデータとして自動登録する。
【００９１】
具体的には、例えば、図７のフォルダ１６１−１−１に登録されているコンテンツ１７１に対して、フォルダ１６１−１−１についてのフォルダ用メタデータが、コンテンツ用メタデータとして自動登録され、その自動登録の内容が、コンテンツ１７１の内容を示す情報に含まれるフォルダ情報として表示される。上述したように、自動登録されるフォルダ用メタデータには、上位のフォルダ１６１，１６１−１のフォルダ用メタデータが含まれる。
【００９２】
図７に示されるように、コンテンツ１７１の内容を示す情報には、当該コンテンツ１７１のプレビュー表示、コンテンツ名、フォルダ情報、登録日、ステータスが含まれる。ここで、プレビュー表示は、動画像、静止画像、テキスト文書等の表示と共に、音楽等の出力も含めるものをいう。コンテンツ名としては、後述するように、ステップＳ８の処理で当該コンテンツ１７１に対して管理者が手動入力した内容であるコンテンツ用メタデータが採用される。フォルダ情報としては、当該コンテンツ１７１が登録されているフォルダ１６１−１−１についてのフォルダ用メタデータが、当該コンテンツ１７１のコンテンツ用メタデータとして自動登録されたものが表示されている。また、登録日は、当該コンテンツ１７１がフォルダ１６１−１−１に登録された日時を示している。ステータスは、当該コンテンツ１７１の、ユーザ端末４２への公開状況を示している。
【００９３】
具体的には、図７のコンテンツ内容表示領域１４２の１行目において、動画像のコンテンツ１７１−１の内容を示す情報として、当該動画像のプレビュー表示が表示され、コンテンツ名として「タイトル１」が、フォルダ情報として「電子工学科/情報処理II/第１回」が、登録日として「2011-12-28 12;34;45」が、ステータスとして「公開中」が、それぞれ表示されている。２乃至７行目のそれぞれにおいても、同様に、コンテンツ１７１−２乃至１７１−７の内容を示す情報が表示されている。
【００９４】
図６の説明に戻り、ステップＳ７において、指示受付部７１は、さらに所定のコンテンツに対するコンテンツ用メタデータの登録の指示を受け付けたかを判定する。
【００９５】
コンテンツ用メタデータの登録の指示を受け付けていない場合、ステップＳ７においてＮＯであると判定されて、処理はステップＳ９に進む。
【００９６】
これに対して、コンテンツ用メタデータの登録の指示を受け付けた場合、ステップＳ７においてＹＥＳであると判定されて、処理はステップＳ８に進む。
【００９７】
ステップＳ８において、コンテンツ用メタデータ登録部７５は、指示受付部７１からの指示に基づいて、管理者による手動入力の内容をコンテンツ用メタデータとして登録する。
【００９８】
具体的には、例えば、図７においては、コンテンツ１７１−１が選択状態（ハイライト表示）になっており、コンテンツ１７１−１のコンテンツ用メタデータの登録の指示が受け付けられたものとする。この場合、メタデータ編集領域１４３では、管理者によるコンテンツ１７１−１に対するコンテンツ用メタデータの手動入力が可能となる。
【００９９】
具体的には、メタデータ編集領域１４３には、フォルダ表示領域１９１、コンテンツタグ編集領域１９２、及び編集可能メタデータ領域１９３が含まれる。
【０１００】
フォルダ表示領域１９１においては、コンテンツ１７１−１が登録されているフォルダ１６１−１−１及びその上位のフォルダ１６１−１，１６１のフォルダ用メタデータが、上位層から順に表示される。図７の場合、「電子工学科/情報処理II/第１回」が表示される。
【０１０１】
また、フォルダ表示領域１９１においては、コンテンツ１７１−１が登録されているフォルダ１６１−１−１の上位のフォルダ用タグ、即ち個別フォルダタグ編集領域１４４でフォルダ用タグとして登録された１以上のタグが、上位フォルダタグとして表示される。図７の場合、「フォルダタグ１/フォルダタグ２・・・フォルダタグ５」が表示されているが、実際には例えば「フォルダタグ１」として「電子工学科」が登録され、「フォルダタグ２」として「情報処理II」が登録され、「フォルダタグ３」として「第１回」が登録されている場合には、「電子工学科/情報処理II/第１回」が表示される。
【０１０２】
なお、「このタグを含むコンテンツ一覧」と表示された領域が選択されることにより、選択時にハイライト表示されているフォルダ用タグが、コンテンツ用メタデータとして対応付けられているコンテンツが一覧表示される。ここで、フォルダは階層構造であり、下位層のフォルダに登録されているコンテンツには、当該フォルダのフォルダ用タグのみならず、上位のフォルダのフォルダ用タグもコンテンツ用メタデータとして対応付けられている。したがって、選択時にハイライト表示されているフォルダ用タグに対応するフォルダ及びその下位層のフォルダの何れかに登録されているコンテンツの全てが一覧表示される。
【０１０３】
コンテンツタグ編集領域１９２において、管理者は、コンテンツ１７１−１のタグとなるコンテンツ用メタデータを新たに生成して追加登録することができる。追加登録できるコンテンツ用メタデータは、その種類や数等は特に限定されず、ユーザがコンテンツ１７１−１を検索できるような情報であればよい。図７の場合、管理者による手動入力の内容に基づいて、タグとなるコンテンツ用メタデータとして「コンテンツタグ１・・・コンテンツタグ５」が登録される。
【０１０４】
なお、「このタグを含むコンテンツ一覧」と表示された領域が選択されることにより、選択時にハイライト表示されているタグとなるコンテンツ用メタデータが対応付けられているコンテンツが一覧表示される。
【０１０５】
編集可能メタデータ領域１９３において、管理者は、コンテンツ１７１−１のコンテンツ用メタデータの編集をすることができる。具体的には、管理者は、コンテンツ１７１−１のコンテンツ用メタデータについて、そのタイトル、説明、作成者等を自在に編集することができる。また、管理者は、カスタムとして新たにコンテンツ用メタデータを作成することができる。管理者によるこれらの手動入力の内容に基づいて、ステップＳ８の処理で、コンテンツ用メタデータが登録される。
【０１０６】
図６の説明に戻り、ステップＳ９において、指示受付部７１は、管理者端末４３からコンテンツ配信の指示を受け付けたかを判定する。
【０１０７】
コンテンツ配信の指示を受け付けていない場合、ステップＳ９においてＮＯであると判定されて、処理はステップＳ１３に進む。
【０１０８】
これに対して、コンテンツ配信の指示を受け付けた場合、ステップＳ９においてＹＥＳであると判定されて、処理はステップＳ１０に進む。
【０１０９】
ステップＳ１０において、コンテンツ配信部７６は、コンテンツを配信対象に登録する。
【０１１０】
具体的には、配信カート領域１４５において、配信対象のコンテンツが選択されて登録される。図７の例では、配信カート領域１４５は表示されていないが、「配信」と記載されたタブが選択されることにより、図８に示されるように、当該領域が表示される。
【０１１１】
[配信コンテンツの選択]
図８は、配信コンテンツの選択と登録について説明する図である。
【０１１２】
図８のコンテンツ登録画面１３１の下部には、配信カート領域１４５が表示されている。管理者が、コンテンツ内容表示領域１４２から、配信対象のコンテンツ１７１を選択して、配信カート領域１４５に移動させる操作を行うと、コンテンツ配信部７６が、選択されたコンテンツ１７１を配信対象のコンテンツ１７１として登録する。
【０１１３】
はじめに、管理者は、配信カート領域１４５において配信対象のコンテンツ１７１の配信先（すなわち、コンテンツ１７１を公開すべきポータル）を選択する。具体的には、管理者が、配信カート領域１４５の左側に配置された配信先プリセット選択欄２１１の逆三角形のマークを選択すると、配信対象として選択され得る配信先の候補が表示される（図示せず）。管理者は、表示される複数の配信先の候補の中から、配信先を選択する。なお、配信先プリセット選択欄２１１には、予め設定された（すなわち、プリセットされた）配信先の候補が表示されるが、管理者は、それ以外の配信先を設定する場合には、設定ボタン２１２を選択して、新たな配信先を設定することもできる。図８の場合には、配信対象のポータルとして「営業向けＰＣ/Tablet」が選択されている。
【０１１４】
次に、管理者は、選択された配信先であるポータルに公開して配信するための、配信対象のコンテンツ１７１を選択する。具体的には、管理者は、マウスを操作することにより、選択したコンテンツ１７１の内容を示す情報にマウスポインタを合わせ、マウスの左または右ボタンを押下し、さらに、ボタンの押下状態を維持したまま（ドラッグして）マウスポインタを配信カート領域１４５内に移動させ、配信カート領域１４５内でボタンを離すといった、いわゆる「ドラッグアンドドロップ」と称される操作を行う。これにより、管理者は、選択したコンテンツ１７１を配信対象のコンテンツ１７１として選択することができる。
【０１１５】
管理者は、配信対象のコンテンツ１７１の選択を終了すると、配信カート領域１４５の右側に配置された配信ボタン２１３を押下する。これにより、コンテンツ配信部７６が、選択されたコンテンツ１７１を配信対象のコンテンツ１７１として登録する。
【０１１６】
図６の説明に戻り、ステップＳ１１において、コンテンツ配信部７６は、コンテンツの配信情報を設定する。
【０１１７】
具体的には、ステップＳ１０の処理で、コンテンツ１７１が配信対象として登録されると、管理者は、図９に示される配信内容確認画面において、登録された配信対象のコンテンツ１７１の確認と、配信情報の設定を行うことができる。なお、図９に示される配信内容確認画面は、管理者により配信ボタン２１３が押下されると表示される。管理者が、配信内容確認画面において、登録された配信対象のコンテンツ１７１の配信情報の設定を行うと、コンテンツ配信部７６は、コンテンツの配信情報を設定する。
【０１１８】
[配信内容確認]
図９は、配信内容確認画面の例を示す図である。
【０１１９】
図９に示される配信内容確認画面２３１には、配信対象コンテンツ内容表示領域２４１と配信情報設定領域２４２が配置される。
【０１２０】
図９に示されるように、配信対象コンテンツ内容表示領域２４１には、管理者により登録された配信対象のコンテンツ２５１−１乃至２５１−Ｎ（Ｎは、1以上の整数値）の内容を示す情報のうちのコンテンツ２５１−１乃至２５１−７の内容を示す情報が表示されている。なお、コンテンツ２５１−１乃至２５１−Ｎを個々に区別する必要がない場合、これらをまとめてコンテンツ２５１と称する。
【０１２１】
配信情報設定領域２４２においては、配信対象コンテンツ内容表示領域２４１に表示されているコンテンツ２５１の配信情報が設定される。配信情報設定領域２４２には、配信プリセット設定領域２７１、カテゴリ設定領域２７２、閲覧者設定領域２７３、ポータルプリセット領域２７４、及び公開期間設定領域２７５が含まれる。
【０１２２】
配信プリセット設定領域２７１においては、図８の配信カート領域１４５の配信先プリセット選択欄２１１において選択された配信先が表示される。なお、管理者は、配信プリセット設定領域２７１において配信先を選択し直すことも、図８と同様に、新たな配信先を設定することもできる。
【０１２３】
カテゴリ設定領域２７２においては、配信先のポータルにおけるコンテンツ２５１のカテゴリの設定がされる。図９の例では、配信先のポータルにおけるコンテンツ２５１のカテゴリとして「講義資料」が設定されている。
【０１２４】
閲覧者設定領域２７３においては、配信先のポータルでコンテンツ２５１を閲覧可能な閲覧者が設定される。当該閲覧者としては、例えば、所定の閲覧者のグループ等がある。図９の例では、コンテンツ２５１を閲覧可能な閲覧者のグループとして「GP1,GP2」が設定されている。
【０１２５】
ポータルプリセット領域２７４においては、コンテンツ２５１が公開される、配信先のポータルが設定される。配信先のポータルとしては、例えば、「ＰＣポータルのみ」、「ＰＣポータル、タブレット型端末ポータル両方」、「全ポータル」等がある。図９の例では、配信先のポータルとして「全ポータル」が設定されている。
【０１２６】
公開期間設定領域２７５においては、コンテンツ２５１がポータルに公開される期間が選択される。公開期間設定領域２７５において、管理者は、コンテンツ２５１が公開される期間の始期と終期を設定する。このように、管理者が、配信内容確認画面２３１において、登録された配信対象のコンテンツ１７１の配信情報の設定を行うと、コンテンツ配信部７６は、コンテンツ１７１の配信情報を設定する。
【０１２７】
図６の説明に戻り、ステップＳ１２において、コンテンツ配信部７６は、コンテンツの配信を実行する。これにより、コンテンツは、各ユーザ端末４２向けのポータルに公開される。
【０１２８】
具体的には、配信内容確認画面２３１において、上述した全ての配信情報の設定が終了した場合、管理者が、配信実行ボタン２８１を押下すると、コンテンツ配信部７６は、コンテンツの配信を実行する。これにより、配信対象コンテンツ内容表示領域２４１に表示されたコンテンツ２５１が、配信情報設定領域２４２において設定された配信情報に基づいて、設定されたユーザ端末４２のポータルに表示される。
【０１２９】
図６の説明に戻り、ステップＳ１３において、指示受付部７１は、管理者端末４３から処理終了の指示を受け付けたかを判定する。
【０１３０】
処理終了の指示を受け付けていない場合、ステップＳ１３においてＮＯであると判定されて、処理はステップＳ１に戻され、それ以降の処理が繰り返される。即ち、処理終了の指示を受け付けるまでの間、ステップＳ１乃至Ｓ１３のループ処理が繰り返される。
【０１３１】
その後、処理終了の指示を受け付けた場合、ステップＳ１３においてＹＥＳであると判定されて、コンテンツ管理配信処理は終了する。
【０１３２】
なお、コンテンツ管理配信処理は、１つのオペレーション及び１つのＵＩ(User Interface)で実行される。すなわち、コンテンツ管理配信処理は、コンテンツの管理に関する処理（ステップＳ１乃至Ｓ８）とコンテンツの配信に関する処理（ステップＳ９乃至Ｓ１２）とが、合成された処理である。したがって、コンテンツの管理と配信が１つのオペレーション及び１つのＵＩで実現されることになる。
【０１３３】
このようにして各ユーザ端末４２向けのポータルにコンテンツが公開される。公開される形態は記憶部５８内のフォルダの階層構造が維持された形態となる。したがって、ユーザは、ポータルを利用することで、階層構造を保持しつつコンテンツを視聴することができる。以下、図１０乃至図１６を参照して、公開されるコンテンツの表示例について説明する。具体的には、図１０と図１１を参照してＰＣポータル、図１２と図１３を参照してタブレット型端末ポータル、図１４乃至図１６を参照して携帯情報端末ポータルについて説明する。
【０１３４】
[ＰＣポータルのトップページ]
図１０は、ＰＣポータルのトップページ３０１の例を示す図である。
【０１３５】
ユーザ端末４２がＰＣの場合、ユーザ端末４２は、ＰＣポータルにアクセスすると、その表示部に図１０に示すＰＣポータルのトップページ３０１を表示させる。
【０１３６】
ＰＣポータルのトップページ３０１には、階層構造表示領域３２１、検索要求領域３２２、及び配信対象コンテンツ内容表示領域３２３が配置される。
【０１３７】
階層構造表示領域３２１には、最上位の第１層のフォルダとして、フォルダ用メタデータとして「電子工学科」が登録されたフォルダ３３１が表示されている。また、第１層のフォルダ３３１の下位には、フォルダ用メタデータとして「情報処理II」が登録された第２層のフォルダ３３１−１が存在している。
【０１３８】
図１０においては、フォルダ３３１−１がユーザにより選択されて選択状態（ハイライト表示）となっている。したがって、配信対象コンテンツ内容表示領域３２３には、フォルダ３３１−１に登録されているコンテンツの内容を示す情報が表示される。
【０１３９】
配信対象コンテンツ内容表示領域３２３には、フォルダ３３１−１に登録されているコンテンツの内容を示す情報が表示される。具体的には、配信対象コンテンツ内容表示領域３２３には、コンテンツ３４１−１乃至３４１−Ｎ（Ｎは１以上の任意の整数値）のうち、コンテンツ３４１−１乃至３４１−４の内容を示す情報が表示されている。なお、コンテンツ３４１−１乃至３４１−Ｎを個々に区別する必要がない場合、これらをまとめてコンテンツ３４１と称する。
【０１４０】
検索要求領域３２２には、ユーザにより配信対象のコンテンツが検索される場合に、検索キーワードとしてコンテンツ用メタデータ（タグ）が入力される入力ボックスや、検索条件や検索結果の表示態様を設定するためのボタン等が配置される。検索要求領域３２２への入力内容に基づいて配信対象のコンテンツが検索された場合、配信対象コンテンツ内容表示領域３２３には、検索された配信対象のコンテンツの内容を示す情報が表示される。
【０１４１】
コンテンツ３４１の内容を示す情報としては、プレビュー表示、コンテンツ名、説明、メタデータ等が表示される。プレビュー表示としては、コンテンツ３４１のデータがＰＣの表示形態に適する形態に変換された上で、当該コンテンツ３４１が表示される。
【０１４２】
[ＰＣポータルの詳細ページ]
配信対象コンテンツ内容表示領域３２３に表示された複数のコンテンツ３４１のうち、任意の１つが選択されると、図１１に示されるように、選択されたコンテンツ３４１の詳細を表示する詳細ページが表示される。
【０１４３】
図１１は、ＰＣポータルの詳細ページ３５１の例を示す図である。
【０１４４】
ＰＣポータルの詳細ページ３５１には、コンテンツ詳細表示領域３６１と関連コンテンツ表示領域３６２が配置される。
【０１４５】
コンテンツ詳細表示領域３６１には、図１０の配信対象コンテンツ内容表示領域３２３に表示された複数のコンテンツ３４１のうち、選択された任意の１つのコンテンツ３４１の内容を示す情報が表示される。
【０１４６】
コンテンツ詳細表示領域３６１には、プレビュー表示領域３７１、メタデータ表示領域３７２、チャプター表示領域３７３、及びコメント表示領域３７４が含まれる。
【０１４７】
プレビュー表示領域３７１においては、選択されたコンテンツ３４１がプレビュー表示される。なお、プレビュー表示領域３７１の下方には、選択されたコンテンツ３４１の公開日時、閲覧回数、評価人数、関連コンテンツ数が表示される。公開日時には、コンテンツ３４１が、ＰＣポータルに公開された日時が表示される。閲覧回数は、目のマークの横に数字で表わされ、コンテンツ３４１が閲覧された回数が表示される。評価人数は星のマークの横に数字で表わされ、コンテンツ３４１を評価したユーザの人数が表示される。関連コンテンツ数は、２連のリングのマークの横に数字で表わされ、コンテンツ３４１と関連するコンテンツの数が表示される。すなわち、選択されたコンテンツ３４１と同一のフォルダ及びその下位のフォルダに登録されている他のコンテンツが、一覧表示される。図１１の場合、公開日時として「2011/08/31 18:00」が、閲覧回数として「9999」が、評価人数として「9999」が、関連コンテンツ数として「99」が、それぞれ表示されている。
【０１４８】
「メタデータ」と表示されたタブが選択されると、当該タブの下の領域には、メタデータ表示領域３７２が表示される。メタデータ表示領域３７２においては、選択されたコンテンツ３４１のメタデータが表示される。具体的には、図１１に示されるように、コンテンツ３４１のメタデータには、カテゴリ、タグ、説明等が含まれる。カテゴリには、コンテンツ３４１が登録されているフォルダ及びその上位のフォルダのフォルダ用メタデータが、コンテンツ３４１のコンテンツ用メタデータとして自動登録されたものが表示される。タグには、管理者により登録されたフォルダ用タグまたはタグとなるコンテンツ用メタデータが表示される。説明には、管理者により登録されたコンテンツ３４１の説明が表示される。図１１の場合、カテゴリとして「電子工学科＞情報処理II」が、タグとして「タグ１、タグ２、タグ２」が、説明として「このコンテンツは・・・」が、それぞれ表示されている。
【０１４９】
「チャプター」と表示されたタブが選択されると、当該タブの下の領域には、チャプター表示領域３７３が表示される。チャプター表示領域３７３においては、コンテンツ３４１のチャプター表示がされる。
【０１５０】
「コメント」と表示されたタブが選択されると、当該タブの下の領域には、コメント表示領域３７４が表示される。コメント表示領域３７４においては、ユーザは、コンテンツ３４１に対するコメントを記入することができる。また、コメント表示領域３７４においては、コンテンツ３４１に対する他のユーザのコメントが表示される。
【０１５１】
関連コンテンツ表示領域３６２においては、コンテンツ詳細表示領域３６１に表示されているコンテンツ３４１に関連するコンテンツ３８１−１乃至３８１−Ｎが表示される。図１１の場合、コンテンツ管理配信装置４１に記録されているコンテンツのうち、コンテンツ３４１と同一のフォルダ及びその下位のフォルダに登録されている他のコンテンツとして、コンテンツ３８１−１乃至３８１−Ｎが存在する。なお、プレビュー表示領域３７１の下方に表示された関連コンテンツ数「99」から、Ｎ＝99であることがわかる。関連コンテンツ表示領域３６２には、そのうちのコンテンツ３８１−１乃至３８１−５の内容を示す情報が表示されている。
【０１５２】
[タブレット型端末ポータルのトップページ]
図１２は、タブレット型端末ポータルのトップページ４０１の例を示す図である。
【０１５３】
ユーザ端末４２がタブレット型端末の場合、ユーザ端末４２は、タブレット型端末ポータルにアクセスすると、その表示部に図１２に示すタブレット型端末ポータルのトップページ４０１を表示させる。
【０１５４】
タブレット型端末ポータルのトップページ４０１には、配信対象コンテンツ内容表示領域４２１及びコンテンツ詳細表示領域４２２が配置される。また、タブレット型端末ポータルのトップページ４０１の下側には、コンテンツ一覧表示ボタン４７１とお気に入り設定ボタン４７２が配置されている。
【０１５５】
図１２の場合、コンテンツ一覧表示ボタン４７１が押下されているとする。したがって、配信対象コンテンツ内容表示領域４２１には、タブレット型端末ポータルに公開されているコンテンツ４３１−１乃至４３１−Ｎ（Ｎは１以上の任意の整数値）の一覧が表示される。図１２の場合、配信対象コンテンツ内容表示領域４２１には、そのうちのコンテンツ４３１−１乃至４３１−９の内容を示す情報が表示されている。なお、コンテンツ４３１−１乃至４３１−Ｎを個々に区別する必要がない場合、これらをまとめてコンテンツ４３１と称する。
【０１５６】
コンテンツ４３１の内容を示す情報としては、プレビュー表示、コンテンツ名、閲覧回数、評価人数、関連コンテンツ数が表示される。プレビュー表示としては、コンテンツ４３１のデータがタブレット型端末の表示形態に適する形態に変換された上で、当該コンテンツ４３１が表示される。
【０１５７】
コンテンツ詳細表示領域４２２には、配信対象コンテンツ内容表示領域４２１に表示された複数のコンテンツ４３１のうち、選択された任意の１つのコンテンツ４３１の内容を示す情報が表示される。図１２の場合、コンテンツ４３１−１が選択されているものとする。
【０１５８】
コンテンツ詳細表示領域４２２には、プレビュー表示領域４５１、メタデータ表示ボタン４５２、チャプター表示ボタン４５３、関連コンテンツ表示ボタン４５４、及びコメント表示ボタン４５５が含まれる。
【０１５９】
プレビュー表示領域４５１においては、選択されたコンテンツ４３１−１がプレビュー表示される。なお、管理者は、プレビュー表示領域４５１の右側に表示されたボタンを選択することにより、コンテンツ４３１−１を評価したり、お気に入りに登録したり、コンテンツ４３１−１が公開されているURLを他者と共有したり、コンテンツ４３１−１をダウンロードすることができる。
【０１６０】
メタデータ表示ボタン４５２が選択されると、メタデータ表示ボタン４５２の下の領域には、選択されたコンテンツ４３１−１のメタデータが表示される。なお、表示されるメタデータは、図１１のメタデータ表示領域３７２に表示されるメタデータと同様であるため、その説明を省略する。
【０１６１】
チャプター表示ボタン４５３が選択されると、チャプター表示ボタン４５３の下の領域には、コンテンツ４３１−１のチャプター表示がされる。
【０１６２】
関連コンテンツ表示ボタン４５４が選択されると、関連コンテンツ表示ボタン４５４の下の領域には、図１３に示されるように、コンテンツ４３１−１に関連するコンテンツ４９１−１乃至４９１−Ｎが表示される。
【０１６３】
[関連コンテンツの表示例]
図１３は、関連コンテンツの表示例について説明する図である。
【０１６４】
図１３に示されるように、関連コンテンツ表示ボタン４５４が選択されると、関連コンテンツ表示ボタン４５４の下の領域には、コンテンツ４３１−１に関連するコンテンツ４９１−１乃至４９１−Ｎが表示される。図１３の場合、コンテンツ管理配信装置４１に記録されているコンテンツのうち、コンテンツ４３１−１と同一のフォルダ及びその下位のフォルダに登録されている他のコンテンツとして、コンテンツ４３１−１乃至４３１−Ｎが存在する。なお、配信対象コンテンツ内容表示領域４２１のコンテンツ４３１−１の内容を示す情報に表示された関連コンテンツ数「10」から、Ｎ＝10であることがわかる。関連コンテンツ表示ボタン４５４の下の領域には、そのうちのコンテンツ４９１−１乃至４９１−３の内容を示す情報が表示されている。
【０１６５】
図１２の説明に戻り、コメント表示ボタン４５５が選択されると、コメント表示ボタン４５５の下の領域には、ユーザは、コンテンツ４３１−１に対するコメントを記入することができる。また、コメント表示ボタン４５５の下の領域においては、コンテンツ４３１−１に対する他のユーザのコメントが表示される。
【０１６６】
ユーザは、お気に入り設定ボタン４７２を押下することにより、配信対象コンテンツ内容表示領域４２１に表示された複数のコンテンツ４３１のうち、選択された任意の１つのコンテンツ４３１をお気に入りに登録することができる。
【０１６７】
なお、ユーザ端末４２がタブレット型端末の場合、ユーザは、タブレット型端末の表示部に積層されたタッチパネルに対する指の接触又は近接の操作により、タブレット型端末ポータルに対する操作を行うことができる。
【０１６８】
[携帯情報端末ポータルのトップページ]
図１４は、携帯情報端末ポータルのトップページ５１１の例を示す図である。
【０１６９】
ユーザ端末４２が携帯情報端末の場合、ユーザ端末４２は、携帯情報端末ポータルにアクセスすると、その表示部に図１４に示す携帯情報端末ポータルのトップページ５１１を表示させる。
【０１７０】
携帯情報端末ポータルのトップページ５１１の下側には、コンテンツ一覧表示ボタン５３１とお気に入り設定ボタン５３２が配置されている。図１４の場合、コンテンツ一覧表示ボタン５３１が押下されているとする。
【０１７１】
したがって、携帯情報端末ポータルのトップページ５１１には、携帯情報端末ポータルに公開されているコンテンツ５２１−１乃至５２１−Ｎ（Ｎは１以上の任意の整数値）が表示される。図１４の場合、トップページ５１１には、コンテンツ５２１−１乃至５２１−Ｎのうちのコンテンツ５２１−１乃至５２１−５のコンテンツ示す情報が表示されている。なお、コンテンツ５２１−１乃至５２１−Ｎを個々に区別する必要がない場合、これらをまとめてコンテンツ５２１と称する。
【０１７２】
コンテンツ５２１の内容を示す情報としては、コンテンツ５２１をプレビュー表示させるためのプレビューボタン、コンテンツ名、公開日時、閲覧回数、評価人数、関連コンテンツ数が表示される。携帯情報端末においては、データ量が多くならないように、コンテンツ５２１のプレビュー表示はされずに、プレビューボタンのみが表示される。すなわち、ユーザによってプレビューボタンが押下されて、プレビュー表示の指示がされた場合にのみ、コンテンツ５２１がプレビュー表示される。
【０１７３】
また、ユーザは、お気に入り設定ボタン５３２を押下することにより、携帯情報端末ポータルのトップページ５１１に表示された複数のコンテンツ５２１のうち、選択された任意の１つのコンテンツ５２１をお気に入りに登録することができる。
【０１７４】
携帯情報端末ポータルのトップページ５１１に表示された複数のコンテンツ５２１のうち、任意の１つが選択されると、図１５に示されるように、選択されたコンテンツ５２１の内容を示す情報が表示される。
【０１７５】
[携帯情報端末ポータルの詳細ページ]
図１５は、携帯情報端末ポータルの詳細ページ５５１の例を示す図である。
【０１７６】
携帯情報端末ポータルの詳細ページ５５１には、図１４のトップページ５１１に表示された複数のコンテンツ５２１のうち、選択された任意の１つのコンテンツ５２１の内容を示す情報が表示される。いまの場合、コンテンツ５２１−１が選択されているものとする。
【０１７７】
詳細ページ５５１には、プレビュー表示領域５６１、メタデータ表示ボタン５６２、チャプター表示ボタン５６３、関連コンテンツ表示ボタン５６４、及びコメント表示ボタン５６５が含まれる。
【０１７８】
プレビュー表示領域５６１においては、プレビューボタンが押下された場合、選択されたコンテンツ５２１−１がプレビュー表示される。なお、管理者は、プレビュー表示領域５６１の右側に表示されたボタンを選択することにより、コンテンツ５２１−１を評価したり、お気に入りに登録したり、コンテンツ５２１−１が公開されているURLを他者と共有したり、コンテンツ５２１−１をダウンロードすることができる。
【０１７９】
メタデータ表示ボタン５６２が選択されると、メタデータ表示ボタン５６２の下の領域には、選択されたコンテンツ５２１−１のメタデータが表示される。なお、表示されるメタデータは、図１１のメタデータ表示領域３７２に表示されるメタデータと同様であるため、その説明を省略する。
【０１８０】
チャプター表示ボタン５６３が選択されると、チャプター表示ボタン５６３の下の領域には、コンテンツ５２１−１のチャプター表示がされる。
【０１８１】
関連コンテンツ表示ボタン５６４が選択されると、関連コンテンツ表示ボタン５６４の下の領域には、図１６に示されるように、コンテンツ５２１−１に関連するコンテンツ６０１−１乃至６０１−Ｎが表示される。
【０１８２】
[携帯情報端末ポータルの関連コンテンツ表示ページ]
図１６は、携帯情報端末ポータルの関連コンテンツ表示ページ５８１の例を示す図である。
【０１８３】
携帯情報端末ポータルの関連コンテンツ表示ページ５８１には、コンテンツ５２１−１に関連するコンテンツ６０１−１乃至６０１−Ｎが表示される。図１６の場合、コンテンツ管理配信装置４１に記録されているコンテンツのうち、コンテンツ５２１−１と同一のフォルダ及びその下位のフォルダに登録されている他のコンテンツとして、コンテンツ６０１−１乃至６０１−Ｎが存在する。なお、図１４のトップページ５１１のコンテンツ５２１−１の内容を示す情報に表示された関連コンテンツ数「99」から、Ｎ＝99であることがわかる。関連コンテンツ表示ボタン５６４の下の領域には、そのうちのコンテンツ６０１−１乃至６０１−４の内容を示す情報が表示されている。
【０１８４】
図１５の説明に戻り、コメント表示ボタン５６５が選択されると、コメント表示ボタン５６５の下の領域には、ユーザは、コンテンツ５２１−１に対するコメントを記入することができる。また、コメント表示ボタン５６５の下の領域においては、コンテンツ５２１−１に対する他のユーザのコメントが表示される。
【０１８５】
なお、ユーザ端末４２が携帯情報端末の場合、ユーザは、携帯情報端末の表示部に積層されたタッチパネルに対する指の接触又は近接の操作により、携帯情報端末ポータルに対する操作を行うことができる。
【０１８６】
このように、コンテンツ管理配信装置４１によりコンテンツ同士が関連付けられるので、各ユーザ端末４２向けのポータルにおいては、所定のコンテンツが選択された場合、当該所定のコンテンツに関連するコンテンツを表示することができる。
【０１８７】
従来のコンテンツ管理配信システムにおいては、管理者は、関連性のある複数のコンテンツを関連付けるために、専用のＵＩ画面等を用いて各コンテンツを関連付ける作業を行う場合があり、当該作業には複雑な操作を伴うことがあった。しかしながら、コンテンツ管理配信装置４１によれば、簡易的な作業で複数のコンテンツの関連付けを実現できる。
【０１８８】
[本技術のプログラムへの適用]
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１８９】
例えば、コンピュータの一例である図３のコンテンツ管理配信装置４１において、CPU５１が、例えば、記憶部５８に記憶されているプログラムを、入出力インタフェース５５及びバス５４を介して、RAM５３にロードして実行することにより、上述した一連の処理が行われる。
【０１９０】
コンピュータが実行するプログラムは、例えば、パッケージメディア等としてのリムーバブルメディア６１に記録して提供することができる。また、プログラムは、ローカルエリアネットワーク、インターネット、デジタル衛星放送といった、有線または無線の伝送媒体を介して提供することができる。
【０１９１】
コンピュータでは、プログラムは、リムーバブルメディア６１をドライブ６０に装着することにより、入出力インタフェース５５を介して、記憶部５８にインストールすることができる。また、プログラムは、有線または無線の伝送媒体を介して、通信部５９で受信し、記憶部５８にインストールすることができる。その他、プログラムは、ROM５２や記憶部５８に、あらかじめインストールしておくことができる。
【０１９２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９３】
本技術の実施の形態は、上述した実施の形態に限定されるものではなく、本技術の要旨を逸脱しない範囲において種々の変更が可能である。
【０１９４】
例えば、本技術は、１つの機能をネットワークを介して複数の装置で分担、共同して処理するクラウドコンピューティングの構成をとることができる。
【０１９５】
また、上述のフローチャートで説明した各ステップは、１つの装置で実行する他、複数の装置で分担して実行することができる。
【０１９６】
さらに、１つのステップに複数の処理が含まれる場合には、その１つのステップに含まれる複数の処理は、１つの装置で実行する他、複数の装置で分担して実行することができる。
【０１９７】
なお、本技術は、以下のような構成もとることができる。
（１）
フォルダの所定の階層構造において、所定の階層にフォルダを作成するフォルダ作成部と、
前記フォルダ作成部により作成された前記フォルダにコンテンツを格納し、前記コンテンツと、同一の前記フォルダに格納されている他のコンテンツとを関連付けることで、前記コンテンツを前記フォルダに登録するコンテンツ登録部と
を備える情報処理装置。
（２）
前記フォルダ作成部により作成された前記フォルダに対して、フォルダ用メタデータを対応付けて登録するフォルダ用メタデータ登録部と、
前記コンテンツ登録部により前記フォルダに格納された前記コンテンツに対して、前記フォルダ用メタデータ登録部により前記フォルダに対応付けて登録された前記フォルダ用メタデータを、コンテンツ用メタデータとして対応付けて登録するコンテンツ用メタデータ登録部と
をさらに備える
前記（１）に記載の情報処理装置。
（３）
前記コンテンツ用メタデータ登録部は、前記コンテンツが格納された前記フォルダに加えて、前記フォルダの上位のフォルダに登録された前記フォルダ用メタデータを、前記コンテンツ用メタデータとして登録する
前記（１）または（２）に記載の情報処理装置。
（４）
コンテンツ配信するためのポータルに、前記コンテンツ登録部により登録された前記コンテンツを公開するコンテンツ配信部を備える
前記（１）乃至（３）のいずれかに記載の情報処理装置。
（５）
前記コンテンツ配信部は、同一の前記フォルダに関連付けられて格納されている複数のコンテンツを、関連コンテンツとして前記ポータルに公開する
前記（１）乃至（４）のいずれかに記載の情報処理装置。
【０１９８】
本技術は、コンテンツを配信する情報処理装置に適用することができる。
【符号の説明】
【０１９９】
３１  コンテンツ管理配信システム，  ４１  コンテンツ管理配信装置，  ４２  ユーザ端末，  ４３  管理者端末，  ５１  ＣＰＵ，  ５８  記憶部，  ７１  指示受付部，  ７２  フォルダ作成部，  ７３  フォルダ用メタデータ登録部，  ７４  コンテンツ登録部，  ７５  コンテンツ用メタデータ登録部，  ７６  コンテンツ配信部，  ８１  フォルダ，  ８２  フォルダ用メタデータ，  ９１  コンテンツ，  ９２  コンテンツ用メタデータ
【図１】
2013171493.tif 000003
【図２】
2013171493.tif 000004
【図３】
2013171493.tif 000005
【図４】
2013171493.tif 000006
【図５】
2013171493.tif 000007
【図６】
2013171493.tif 000008
【図７】
2013171493.tif 000009
【図８】
2013171493.tif 000010
【図９】
2013171493.tif 000011
【図１０】
2013171493.tif 000012
【図１１】
2013171493.tif 000013
【図１２】
2013171493.tif 000014
【図１３】
2013171493.tif 000015
【図１４】
2013171493.tif 000016
【図１５】
2013171493.tif 000017
【図１６】
2013171493.tif 000018